(57)【要約】【課題】風量低下を防止しつつ、騒音を減少することができる騒音低減装置を提供する。【解決手段】空調ケース１１の内壁１１ａに乱反射部材として複数の突起４０が所定箇所に設けられる。このような突起４０は、内壁１１ａのうち対向する一対の内壁１１ａのそれぞれに設けられる。複数の突起４０のようなミクロな形状の凹凸に対して音の反射の法則が成り立つため、マクロな視点では反射方向が散乱し、入射波と反射波との位相が同じになる位置がずらすことができる。これによって位相が同じになることに起因する音の増幅を抑制することができる。【選択図】図１
2012166758.tif 000002
【特許請求の範囲】
【請求項１】
空気が流れる通路（１３，２２，２５）であって、空気の流れが分岐または合流する複数の通路を形成する通路部材（１１）に設けられる騒音低減装置であって、
前記通路部材の内壁（１１ａ）に設けられ、入射した音を乱反射する一対の乱反射部材（４０）を含み、
前記一対の乱反射部材は、前記内壁のうち対向する一対の前記内壁のそれぞれに設けられ、
一方の前記乱反射部材は、少なくとも他方の前記乱反射部材に対向する位置を含む位置に設けられることを特徴とする騒音低減装置。
【請求項２】
前記通路部材が形成する通路は、車室内に送風される空気が通過する通路であり、
前記通路部材は、前記通路が内部に形成される空調ケース（１１）であり、
前記空調ケース内に配置され、前記通路を開閉するドア（２３，２７〜３０）の両面のうち少なくともいずれか一方の面に、前記一方の乱反射部材が設けられ、
前記一方の乱反射部材が設けられる前記ドアが開状態または閉状態にあるときに、前記一方の乱反射部材に対向する内壁（４１〜４２）に前記他方の乱反射部材が設けられることを特徴とする請求項１に記載の騒音低減装置。
【請求項３】
前記空調ケース内には、通過する空気を冷却する冷却用熱交換器（２０）、および通過する空気を加熱する加熱用熱交換器（２１）が設けられ、
前記ドアは、前記冷却用熱交換器を通過した冷風と、前記加熱用熱交換を通過した温風とを混合する割合を調整するためのエアミックスドア（２３）であることを特徴とする請求項２に記載の騒音低減装置。
【請求項４】
前記複数の通路のうちの少なくとも１つには、通過する空気と熱交換する熱交換器（２１）が設けられ、
前記一方の乱反射部材は、前記熱交換器の下流側にて前記熱交換器に対向する前記内壁（４２）に設けられることを特徴とする請求項２または３に記載の騒音低減装置。
【請求項５】
前記乱反射部材は、複数の突起、毛状の部材、繊維部材または多孔質材であることを特徴とする請求項１〜５のいずれか１つに記載の騒音低減装置。
【発明の詳細な説明】
【技術分野】
【０００１】
本発明は、騒音を低減する騒音低減装置に関し、特に空気の流れによって発生する空力音の低減に好適な装置を提供する。
【背景技術】
【０００２】
特許文献１〜３には、空調および冷却用の送風装置から発生する空力音を低減するため、物体表面に圧力変動を低減する部材（以下、「低減部材」ということがある）を設けている。低減部材として、たとえば羽毛状または線材状の突起物、または毛皮状の繊維状部材を設ける構成が開示されている。
【先行技術文献】
【特許文献】
【０００３】
【特許文献１】特開平２−２５３０００号公報
【特許文献２】特開平５−２６７６２号公報
【特許文献３】特開平７−２２５０４８号公報
【発明の概要】
【発明が解決しようとする課題】
【０００４】
前述の特許文献１〜３に記載の低減部材を複雑な流路を有する装置、たとえば自動車用の空調装置に適用しても、空調ユニット内部の気流の乱れで発生した音が壁面で反射して増幅する現象（いわゆる共鳴）が発生する。これによって音が増幅されて外部に伝播する。このような現象は、音の発生源である流れの乱れによる圧力変動を低減部材によって低減しても、騒音低減効果を十分に得られないことがある。
【０００５】
さらに、騒音低減効果を得るために低減部材を多くの位置に設けると、流路に設けられる低減部材自体が流れの抵抗となるので、低減部材の設置面積増によって風量低下が顕著になるという問題がある。
【０００６】
そこで、本発明は前述の問題点を鑑みてなされたものであり、風量低下を防止しつつ、騒音を減少することができる騒音低減装置を提供することを目的とする。
【課題を解決するための手段】
【０００７】
本発明は前述の目的を達成するために以下の技術的手段を採用する。
【０００８】
請求項１に記載の発明では、空気が流れる通路（１３，２２，２５）であって、空気の流れが分岐または合流する複数の通路を形成する通路部材（１１）に設けられる騒音低減装置であって、
通路部材の内壁（１１ａ）に設けられ、入射した音を乱反射する一対の乱反射部材（４０）を含み、
一対の乱反射部材は、内壁のうち対向する一対の内壁のそれぞれに設けられ、
一方の乱反射部材は、少なくとも他方の乱反射部材に対向する位置を含む位置に設けられることを特徴とする騒音低減装置である。
【０００９】
請求項１に記載の発明に従えば、通路部材の内壁に設けられる一対の乱反射部材は、内壁のうち対向する一対の内壁のそれぞれに設けられる。通常、対向する一対の内壁を行き来する音（往復する音）は、反射の法則により入射波の入射角と反射波の反射角とが等しくなるので、反射面である内壁から、たとえば１／２波長毎（２／２波長および３／２波長など）の位置で入射波と反射波との位相が同じになって、音圧が増幅する現象（いわゆる共鳴）が発生する。これによって発生した音が増幅されて外部に伝播することになる。本発明では、そのように共鳴が発生する一対の内壁に乱反射部材が設けられる。乱反射部材では反射方向が散乱し、入射波と反射波との位相が同じになる位置をずらすことができる。これによって位相が同じになることに起因する音の増幅を抑制することができる。
【００１０】
このような乱反射部材は、対向する一対の内壁以外の部分に設ける必要がない。したがって内壁の全域に乱反射部材を設けるのではなく、内壁に部分的に設けられる。このように部分的に設けても共鳴を抑制する効果を達成することができる。また、空気の流れをせき止めて流れのない淀み位置に共鳴が発生する場合もあり、このような位置に乱反射部材を設けることによって通風抵抗を増加させることなく音の増幅を抑制することができる。また乱反射部材を全域に設けるよりも、製造コストを安くすることができる。このように本発明では、風量低下および製造コストの増加を抑えつつ、騒音を減少することができる。
【００１１】
また請求項２に記載の発明では、通路部材が形成する通路は、車室内に送風される空気が通過する通路であり、
通路部材は、通路が内部に形成される空調ケース（１１）であり、
空調ケース内に配置され、通路を開閉するドア（２３，２７〜３０）の両面のうち少なくともいずれか一方の面に、一方の乱反射部材が設けられ、
一方の乱反射部材が設けられるドアが開状態または閉状態にあるときに、一方の乱反射部材に対向する内壁（４１〜４２）に他方の乱反射部材が設けられることを特徴とする。
【００１２】
請求項２に記載の発明に従えば、通路部材は、空調ケースであり、空調ケース内に開閉するドアが設けられる。ドアは、開状態または閉状態で、共鳴の反射面となりうる。このようなドアの両面のうち少なくともいずれか一方の面には、一方の乱反射部材が設けられる。これによって前述の内壁に一対の乱反射部材を設けた場合と同様に、共鳴の発生を抑制する効果を達成することができる。またドアは、通路を開閉する部材であるので、ドアの両面は、空気の流れをせき止めて流れのない淀み位置となる場合が多い。このようなドアの場合には、乱反射部材を設けることによって風量が低下することを防止することができる。
【００１３】
さらに請求項３に記載の発明では、空調ケース内には、通過する空気を冷却する冷却用熱交換器（２０）、および通過する空気を加熱する加熱用熱交換器（２１）が設けられ、
ドアは、冷却用熱交換器を通過した冷風と、加熱用熱交換を通過した温風とを混合する割合を調整するためのエアミックスドア（２３）であることを特徴とする。
【００１４】
請求項３に記載の発明に従えば、ドアはエアミックスドアである。エアミックスドアは、開度によって、冷風と温風とを混合する割合を調整する。このようなエアミックスドアは、開度によっては、少なくともいずれか一方の面が共鳴の反射面となることがある。このようなエアミックスドアに、前述のように乱反射部材を設けることによって、共鳴の発生を抑制する効果を達成することができる。エアミックスドアに対向する他方の面は流れのない淀み位置となることが多く、乱反射部材を設けることによって風量が低下することを防止することができる。
【００１５】
さらに請求項４に記載の発明では、複数の通路のうちの少なくとも１つには、通過する空気と熱交換する熱交換器（２１）が設けられ、
一方の乱反射部材は、熱交換器の下流側にて熱交換器に対向する内壁（４２）に設けられることを特徴とする。
【００１６】
請求項４に記載の発明に従えば、一方の乱反射部材は、熱交換器に対向する内壁に設けられる。熱交換器の下流側にて対向する内壁は、熱交換器を通過することによって気流の流れが変化するように構成されており、音響的な反射面になりやすい。このような壁面に乱反射部材を設けるので、共鳴の発生を抑制する効果を達成することができる。さらに、このような壁面付近は流れのない淀み位置となることが多く、乱反射部材を設けることによって風量が低下することを防止することができる。
【００１７】
さらに請求項５に記載の発明では、乱反射部材は、複数の突起、毛状の部材、繊維部材または多孔質材である。
【００１８】
請求項５に記載の発明に従えば、前述のような作用および効果を達成することができる乱反射部材を実現することができる。
【００１９】
なお、前述の各手段の括弧内の符号は、後述する実施形態に記載の具体的手段との対応関係を示す一例である。
【図面の簡単な説明】
【００２０】
【図１】車両用空調装置１０の概略構成を示す模式図である。
【図２】図１とはドアの開度位置が異なる状態を示す模試図である。
【図３】複数の突起４０による効果を説明するための図である。
【発明を実施するための形態】
【００２１】
（第１実施形態）
本発明の第１実施形態に関して、図１〜図３を用いて説明する。図１は、車両用空調装置１０の概略構成を示す模式図である。車両用空調装置１０は、車室内空調運転の実施可能な装置である。
【００２２】
車両用空調装置１０は、外殻が空調ケース１１で構成されており、大別して送風部と空調部を備えている。空調ケース１１は、車室内前方のインストルメントパネル１２の裏側に配置されている。空調ケース１１は、内方に空気が流れる通路であって、空気の流れが分岐または合流する複数の通路を形成する通路部材としての機能を有する。空調ケース１１は、複数のケース部材からなり、例えばポリプロピレンなどの樹脂成形品である。複数のケース部材は、金属ばね、ねじ等の締結手段によって一体的に結合されて空調ケース１１を構成している。
【００２３】
さらに車両用空調装置１０は、車室内に向けて左右の吹出し口からそれぞれに温調された空気を供給する装置であり、運転席側と助手席側とにおいて独立に空調設定を可変できる、いわゆる左右独立温度コントロールを実現する。そして、車両用空調装置１０の空調ケース１１内部には、左右別々に温調された通風が混ざらないように中間仕切り板（図示せず）が設けられ、中間仕切り板によって空調ケース１１内部は、車両左右方向に二つの通風路に区画されている。
【００２４】
送風部は、車室内または車室外の空気を空調部に送風するための送風機（図示せず）を備え、送風機の吹出口は空調部の入口に至る送風通路１３と接続されている。送風機は、遠心多翼ファンとこれを駆動するモータとからなり、遠心多翼ファンの周囲はスクロールケーシングで囲まれ、遠心多翼ファンの遠心方向に伸びるダクトによって送風通路１３と連通している。
【００２５】
空調部は、送風通路１３全体を横断的に塞いで設けられたエバポレータ２０と、エバポレータ２０を通過してきた空気を加熱するヒータコア２１と、冷風通路２２と、エアミックスドア２３、デフ用ミックスドア２４と、温風通路２５と、温風と冷風が混合する空間のエアミックスチャンバ２６と、デフロスタ用ドア２７と、フェイス用ドア２８と、フット用ドア２９と、リア用ドア３０とを空調ケース１１の内部に備えている。さらに空調ケース１１には、冷風通路２２および温風通路２５の下流側に複数個の吹出口３１〜３４が形成されており、ここでは、空調ケース１１の吹出口の一例であるデフロスタ吹出口３１、フェイス吹出口３２、フット吹出口３３および第１のリア吹出口３４、第２のリア吹出口３５が設けられている。
【００２６】
デフロスタ吹出口３１は、空調ケース１１の車両前方側の上部に位置する。インストルメントパネル１２のフロントウィンドウガラス１２ａ付近の車両前方部には、室内吹出口の一つであるデフロスタ室内吹出口３１ａが設けられている。デフロスタ吹出口３１とデフロスタ室内吹出口３１ａは、曇り度合いを低減するために空調風がフロントウィンドウガラス１２ａ等の室内側面に沿うように、デフロスタ用ダクト３１ｂによって接続されている。デフロスタ吹出口３１は、デフロスタ用ドア２７によって開閉制御される。
【００２７】
フェイス吹出口３２は、空調ケース１１上部のデフロスタ吹出口３１よりも車両後方側に位置する。インストルメントパネル１２の車両後方側の前面には、車室内に露出する室内吹出口の一つであるフェイス室内吹出口３２ａが設けられている。フェイス吹出口３２とフェイス室内吹出口３２ａは、運転席および助手席の乗員の上半身に向けて空調風を吹き出すために、フェイス用ダクト３２ｂによって接続されている。フェイス吹出口３２は、フェイス用ドア２８によって開閉制御される。
【００２８】
各リア吹出口３４，３５は、空調ケース１１下部の車両後方側に位置する。後部座席には、室内吹出口の一つであるリア室内吹出口（図示せず）が設けられている。各リア吹出口３４，３５とリア室内吹出口とは、後部座席に向けて空調風を吹き出すために、リア用ダクト３４ｂによって接続されている。各リア吹出口３４，３５は、その開口断面積がリア用ドア３０によって開閉制御される。リア用ドア３０によって、第１のリア吹出口３４が開状態になる場合はリア用ダクト３４ｂ内の通路をヒータコア２１で加熱された空気が流れ、第２のリア吹出口３５が開状態になる場合はリア用ダクト３４ｂ内の通路をエバポレータ２０で冷却された空気が流れる。
【００２９】
フット吹出口３３は、空調ケース１１上部のフェイス吹出口３２よりも下方側に位置する。乗員の足元には、室内吹出口の一つであるフット室内吹出口（図示せず）が設けられている。フット吹出口３３とフット室内吹出口とは、運転席および助手席の乗員の足元に向けて空調風を吹き出すために、フット用ダクト（図示せず）によって接続されている。フット吹出口３３は、その開口断面積がフット用ドア２９によって開閉制御される。
【００３０】
各吹出口３１〜３５は、空調ケース１１の内部を車両左右方向に二分する通路仕切り壁を中心として左右対称であり、車両の運転席側および助手席側の左右両方側に空調風を供給可能なように配置されている。また、各吹出口３１〜３５から吹き出される空調風は、接続された各ダクト３１ｂ，３２ｂ，３４ｂ内を通って車室内の所定の室内吹き出し部位に供給されることになる。
【００３１】
また、デフロスタ用ドア２７、フェイス用ドア２８およびフット用ドア２９のそれぞれは、回転軸と平板状のドア板とを有する片側支持式の板状ドアである。リア用ドア３０は、回転軸と平板状のドア板とを有し、ドア板を円運動させる片面支持式の板状ドアである。送風機、エアミックスドア２３、デフ用ミックスドア２４、デフロスタ用ドア２７、フェイス用ドア２８、フット用ドア２９およびリア用ドア３０の作動は、図示しない制御装置によって制御される。
【００３２】
エバポレータ２０は、たとえば空調ケース１１の車両前方側に位置し、冷凍サイクル内の膨張弁で減圧された低温低圧の冷媒を送風機の送風を受けて内部で蒸発させる冷却用熱交換器である。そして、冷媒が流れるチューブの周囲を通過する送風空気を冷却して下流の冷風通路２２に冷風を供給する。
【００３３】
ヒータコア２１は、エバポレータ２０よりも車両後方側の下部に位置し、走行用エンジンの高温の冷却水を熱源として送風空気と熱交換させ、周囲を流れる空気を加熱する加熱用熱交換器である。ヒータコア２１は、エバポレータ２０よりも空気流れ方向の下流側の通路を部分的に塞ぐように配置されている。
【００３４】
デフ用ミックスドア２４は、エバポレータ２０よりも車両後方側に位置し、エバポレータ２０を通過した空気が流下する下流側の通路である冷風通路２２を開閉できるドアである。エアミックスドア２３は、エバポレータ２０よりも車両後方側に位置し、エバポレータ２０を通過した空気が流下する冷風通路２２および温風通路２５を開閉できるドアである。
【００３５】
エアミックスドア２３およびデフ用ミックスドア２４は、その開度位置により、ヒータコア２１を通る温風の風量とヒータコア２１を通過しない冷風の風量との比率を調節して、空調風の温度調節を行う。そして、エアミックスドア２３およびデフ用ミックスドア２４が図１の実線で示す位置にあるときは最大冷房時であり、温風通路２５を閉めてヒータコア２１への空気の流れを完全に遮断し、車室内に冷房風を提供する。なお、図１に示す状態は、フェイス吹き出しモードが設定されたときであり、エアミックスドア２３、デフ用ミックスドア２４、デフロスタ用ドア２７、フェイス用ドア２８、フット用ドア２９、およびリア用ドア３０も当該モードを実施する開度位置に設定されている。
【００３６】
図２は、車両用空調装置１０の構成を説明するための断面図であって、図１とはドアの開度位置が異なる状態を示す。エアミックスドア２３およびデフ用ミックスドア２４が図２に示す位置にあるときは最大暖房時であり、エアミックスチャンバ２６に至る冷風通路２２を閉めてエバポレータ２０を通過した空気をすべてヒータコア２１へ流して加熱し、車室内に暖房風を提供する。
【００３７】
また、エアミックスドア２３が上記の中間の位置にあるときは、冷風通路２２と温風通路２５の両方が部分的に開放されて冷風と温風の両方が流下するようになり、各吹出口の上流側に設けられるエアミックスチャンバ２６で混合し、温調されてから開放されている吹出口から吹き出され、ダクト内を通過して室内吹出口に送られる。
【００３８】
温風通路２５は、車両前方側に傾いた形態で、空調ケース１１の下部から上方のエアミックスチャンバ２６に向けて延びるように形成されている。温風通路２５は、空調ケース１１の車両左右方向全体に亘る幅寸法を有し、その幅寸法は車両前後方向の寸法よりも大きくなっている。つまり、温風通路２５は、前後方向に薄く、横長で上下方向に長い扁平状の通路を呈している。
【００３９】
フェイス吹出口３２およびデフロスタ吹出口３１は、エアミックスチャンバ２６に臨む開口である。第１のリア吹出口３４は、温風通路２５に臨む開口である。第２のリア吹出口３５は、エバポレータ２０の下流側から、ヒータコア２１よりも下方の位置に延びる通路に臨み、ヒータコア２１を通らない冷風が吹き出される開口である。したがって、リア用ドア３０が図１の実線で示す位置にあるときは、第１のリア吹出口３４は閉じられて第２のリア吹出口３５から冷風が吹き出される。また、リア用ドア３０が図２の実線で示す位置にあるときは、第２のリア吹出口３５は閉じられて第１のリア吹出口３４から温風が吹き出される。
【００４０】
本実施形態の車両用空調装置１０には、騒音を低減するための騒音低減装置が設けられる。騒音低減装置は、乱反射部材が空調ケース１１内の所定箇所に設けられる。乱反射部材は、入射した音を乱反射する部材である。乱反射部材は、本実施形態では複数の突起４０によって実現される。したがって複数の突起４０が設けられる設置部位に音が入射すると、音を乱反射する効果を有する。複数の突起４０は、形状は特に限定しないが、たとえば凹凸および剣山のような構成を含むものである。空調ケース１１の内壁１１ａに複数の突起４０を設ける場合には、複数の突起４０を内壁１１ａに一体に設けることができる。一体に設ける場合には、空調ケース１１と突起４０との材質は同一であり、たとえば射出成型によって各ケース部材を成型するときに、一体成型によって形成される。また複数の突起４０を各ドアに設ける場合も同様に、一体に設けることができる。
【００４１】
次に、突起４０が設けられる場所に関して説明する。複数の突起４０は、好ましくは、対向する各ドアと内壁１１ａとのそれぞれに設けられる。対向するとは、いずれか一方の設置部位に音が入射した場合に、１回以上、音が往復することで、入射波と反射波との干渉によって特定の周波数における音圧が大きい位置と小さい位置が生成される定在波の腹となるような部分である。したがって好ましくは、略平行（用語「略平行」は平行を含む）な設置部位に、複数の突起４０が設けられる。また一方の突起４０は、少なくとも他方の突起４０に対向する位置を含む位置に設けられる。したがって一方の突起４０から、他方の突起４０が設けられる内壁１１ａに投影した場合には、投影領域と他方の突起４０が設けられる領域との少なくとも１部が重複するような位置関係である。
【００４２】
複数の突起４０は、図１および図２に斜線を施して示すように、空調ケース１１の内壁１１ａ、各ドアを構成するドア板の両面のうち少なくともいずれか一方に設けられる。以後、ドア板を単にドアということがある。内壁１１ａにおける第１の設置部位４１は、デフロスタ用ドア２７が開状態にあるときに、デフロスタ用ドア２７の内側の面に対向する位置である。内壁１１ａにおける第２の設置部位４２は、ヒータコア２１の下流側であって、ヒータコア２１に対向する位置である。内壁１１ａにおける第３の設置部位４３は、エバポレータ２０の上流側であって、エアミックスドア２３が開状態にあるときに、エバポレータ２０と対向する位置である。
【００４３】
さらに各ドアのうち、各吹出口を開閉するドアであるデフロスタ用ドア２７、フェイス用ドア２８、およびリア用ドア３０には、各ドアを閉じた際に、空調ケース１１の内側となる面に突起４０が設けられる。したがってフェイス用ドア２８については、閉状態にあるときに、空調ケース１１の内側に位置する面に複数の突起４０が設けられる。またリア用ドア３０については、図２に示すように、第１のリア吹出口３４を閉じている場合に、ヒータコア２１に対向する面に複数の突起４０が設けられる。また各ドアを中心に説明すると、各ドアのうち、デフロスタ用ドア２７、フェイス用ドア２８、エアミックスドア２３およびリア用ドア３０の片面に複数の突起４０が設けられる。デフロスタ用ドア２７およびエアミックスドア２３については、両面に複数の突起４０が設けられる。
【００４４】
次に、共鳴を抑制する効果について説明する。図３は、複数の突起４０による効果を説明するための図である。図３では、間隔をあけて平行に延び、対向する空調ケース１１の内壁１１ａのそれぞれに複数の突起４０が設けられている状態を模式的に示している。このような部分に音が入射すると、突起４０がない場合には破線で示すように、反射の法則により入射波の入射角と反射波の反射角とが等しくなるので、反射面である内壁１１ａから、たとえば１／２波長毎（２／２波長および３／２波長など）の位置で入射波と反射波との位相が同じになって、音圧が増幅する現象（いわゆる共鳴）が発生する。これに対して、複数の突起４０を設けた場合には、突起４０によって実線で示すように乱反射するので、入射波と反射波との位相が同じになる位置が分散されて共鳴の発生を抑制することができる。このような共鳴において反射面は、音圧が増幅するいわゆる腹の位置となるので、複数の突起４０が、音波のいわゆる節５０の位置ではなく、腹５１の位置に複数の突起４０があるときに顕著である。したがって音の腹５１の位置に複数の突起４０を設けることが好ましい。
【００４５】
図１および図２にて音波を破線で示すように、複数の突起４０は、対向する各ドアと内壁１１ａとによって往復する部分およびヒータコア２１またはエバポレータ２０に対向する部分に設けられている。このような閉じた空間内の同じ部分で音の反射が繰り返されると、閉じた空間の間隔と対応する周波数（周期）で定在波が生じ、いわゆる共鳴が起きる。このような反射位置である共鳴の腹５１の位置に、複数の突起４０が設けられる。
【００４６】
具体的には、デフロスタ用ドア２７は、空調ユニット内に距離の長い空洞を形成する端面となるため、音響的には音の増幅が大きい低周波の共鳴の反射面となる。このようなデフロスタ用ドア２７に突起４０が設けられているので、効果的に音の増幅を低減できる。またデフロスタ用ドア２７が閉じられている場合には、流体的に気流の流れをせき止めて流れのない淀み位置となるので、突起４０を設けることによって風量の低下を引き起こすことを防止することができる。このように音の反射位置は、通路を流れる空気と相対運動する位置とは限らず、むしろ空気流れない、いわゆる淀みの位置となることが多いので、突起４０が流体の抵抗となることもない。したがって風量低下を引き起こすことを防止することができる。
【００４７】
またエアミックスドア２３は、エバポレータ２０を通過した気流（冷風）の流れ方向を制御して、エアミックスチャンバ２６に冷風のまま送風する流量とヒータコア２１を通して温風として送風する流量を分配している。エアミックスドア２３は、送風機からつながるエバポレータ２０の直後に配置されており、遠心ファンを含む空間に距離の長い空洞を形成する面となるため、音響的には音の増幅が大きい低周波の共鳴の反射面となる。このようなエアミックスドア２３に突起４０が設けられているので効果的に音の増幅を低減できる。一方、流体的には、エバポレータ２０を通過した気流は、エアミックスドア２３に衝突するため、エバポレータ２０の突起４０によって風量の低下を引き起こすことを防止することができる。
【００４８】
またエバポレータ２０およびヒータコア２１が設けられる部分では流路が拡大されているので、これら熱交換器に隣接した上下流側で気流の流れ方向が変化している。特に下流側が熱交換器を通過した気流を狭い流路に絞り、流路を大きく曲げているため、熱交換器の下流側の内壁１１ａが音響的な反射面となることが多い。このような熱交換器であるヒータコア２１に隣接する第２の設置部位４２に突起４０を設けているので、効果的に音を低減できる。
【００４９】
次に、図１および図２にて破線で示している共鳴モードに関して説明する。図１に示すように、冷房時は、エアミックスドア２３によってヒータコア２１への気流を閉じているため、ヒータコア２１付近の空間には閉空間ができる。これによってエアミックスドア２３とヒータコア２１に隣接した第２の設置部位４２とが音の反射面となる共鳴モードが生成される。そこで、この位置に突起４０を設けることで、音の増幅を軽減することができる。
【００５０】
また、図１に示すように、デフロスタ用ドア２７が閉じた状態では、デフロスタ用ドア２７とデフロスタ用ドア２７に対向する部分とが反射面となる共鳴モードが生成される。そこで、この位置に突起４０を設けることで、音の増幅を軽減することができる。
【００５１】
さらに、図１に示すように、デフロスタ用ドア２７が閉じた状態では、デフロスタ用ドア２７を腹として、デフロスタ吹出口３１を節とする片側開口端の共鳴モードが生成される。そこで、デフロスタ用ドア２７の外面に突起４０を設けることでこのモードでの音の増幅を軽減することができる。
【００５２】
また図２に示すように、暖房時も同様であって、デフロスタ用ドア２７が開いた状態では、デフロスタ用ドア２７とデフロスタ用ドア２７に対向する第１の設置部位４１とが反射面となる共鳴モードが生成される。そこで、この位置に突起４０を設けることで、音の増幅を軽減することができる。
【００５３】
さらにエアミックスドア２３によってヒータコア２１への気流を開いているため、ヒータコア２１とヒータコア２１に隣接した第２の設置部位４２とが音の反射面となる共鳴モードが生成される。そこで、この位置に突起４０を設けることで、音の増幅を軽減することができる。
【００５４】
また暖房時には、エアミックスドア２３とエアミックスドア２３に対向する第３の設置部位４３とが反射面となる共鳴モードが生成される。したがってエアミックスドア２３および第３の設置部位４３に突起４０を設けることで、音の増幅を軽減することができる。
【００５５】
さらに暖房時において、フェイス用ドア２８が閉じている場合には、エアミックスドア２３とフェイス用ドア２８とが反射面となる共鳴モードが生成される。したがってエアミックスドア２３およびフェイス用ドア２８に突起４０を設けることで、音の増幅を軽減することができる。
【００５６】
また音波を破線で示していない設置部位においても、対向する内壁１１ａまたは各ドアとの間で共鳴の発生を抑制することができる。これによって前述のように共鳴を発生する効果を達成することができる。
【００５７】
以上説明したように本実施形態の騒音防止装置は、空調ケース１１の内壁１１ａに乱反射部材として複数の突起４０が所定箇所に設けられる。このような突起４０は、内壁１１ａのうち対向する一対の内壁１１ａのそれぞれに設けられる。ここで内壁１１ａとは、開閉によって通路を形成するドアの表面も含む。本実施形態では、共鳴が発生する一対の内壁１１ａに複数の突起４０が設けられる。複数の突起４０のようなミクロな形状の凹凸に対して音の反射の法則が成り立つため、マクロな視点では反射方向が散乱し、入射波と反射波との位相が同じになる位置がずらすことができる。これによって位相が同じになることに起因する音の増幅を抑制することができる。
【００５８】
このような複数の突起４０は、対向する一対の内壁１１ａ以外の部分に設けなくてもよい。したがって内壁１１ａの全域に複数の突起４０を設ける必要はなく、部分的に設けても共鳴を抑制する効果を達成することができる。また、空気の流れをせき止めて流れのない淀み位置に共鳴が発生する場合もあり、このような位置に複数の突起４０を設けることによって通風抵抗を増加させることなく音の増幅を抑制することができる。また複数の突起４０を全域に設けるよりも、製造コストを安くすることができる。このように本実施形態では、風量低下および製造コストの増加を抑えつつ、騒音を減少することができる。
【００５９】
また本実施形態では、通路部材は、空調ケース１１であり、空調ケース１１内に開閉するドアが設けられる。ドアは、開状態または閉状態で、共鳴の反射面となりうる。このようなドアの両面のうち少なくともいずれか一方の面には、複数の突起４０が設けられる。これによって前述の内壁１１ａに複数の突起４０を設けた場合と同様に、共鳴の発生を抑制する効果を達成することができる。またドアは、通路を開閉する部材であるので、ドアの両面は、空気の流れをせき止めて流れのない淀み位置となる場合が多い。このようなドアの場合には、複数の突起４０を設けることによって風量が低下することを防止することができる。
【００６０】
さらに本実施形態では、エアミックスドア２３に突起４０が設けられる。エアミックスドア２３は、開度によって、冷風と温風とを混合する割合を調整する。このようなエアミックスドア２３は、開度によっては、少なくともいずれか一方の面が共鳴の反射面となることがある。このようなエアミックスドア２３に、前述のように複数の突起４０を設けることによって、共鳴の発生を抑制する効果を達成することができる。
【００６１】
さらに本実施形態では、複数の突起４０は、熱交換器であるヒータコア２１に対向する内壁１１ａである第２の設置部位４２に設けられる。ヒータコア２１の下流側にて対向する内壁１１ａは、ヒータコア２１を通過することによって気流の流れが変化するように構成されており、音響的な反射面になりやすい。このような第２の設置部位４２に複数の突起４０を設けるので、共鳴の発生を抑制する効果を達成することができる。
【００６２】
（その他の実施形態）
以上、本発明の好ましい実施形態について説明したが、本発明は上述した実施形態に何ら制限されることなく、本発明の主旨を逸脱しない範囲において種々変形して実施することが可能である。
【００６３】
前述の第１実施形態では、乱反射部材は、複数の突起４０によって実現されているが、このような構成に限るものではなく、音を乱反射する部材であれば、たとえば毛状の部材、繊維部材もしくは多孔質材を用いてもよい。このような乱反射部材であっても、複数の突起４０と同様の作用および効果を達成することができる。
【００６４】
また前述の第１実施形態では、空調ケース１１の内壁１１ａとドアとが対向する部分に突起４０が設けられているが、このような構成に限るものではなく、空調ケース１１内で対向する一対の内壁１１ａのそれぞれに設けてもよい。
【００６５】
また前述の第１実施形態では、送風機においては複数の突起４０を設けていないが、このような構成に限るものではなく、送風機の多翼ファンを覆うスクロールケーシングの、少なくとも吸込み側と反対側の一部の周壁面に複数の突起４０を設けても良い。遠心式ファンでは、気流はファンから遠心状に放射され、スクロールケーシングを介して、空調ケース１１内に導通される。したがって、スクロールケーシングは空調ケース１１内に連通した距離の長い空洞を形成する端面となるため、音響的には音の増幅が大きい低周波の共鳴の反射面となる。このようなスクロールケーシングに突起４０を設けることによって、効果的に音の増幅を低減できる。
【００６６】
また前述の第１実施形態では、騒音低減装置は車両用空調装置１０に設けられるが、車両用空調装置１０に限るものではなく、空調装置以外であってもよく、たとえば機器冷却用の冷却用送風機などに適用することができる。
【符号の説明】
【００６７】
１０…車両用空調装置
１１…空調ケース（通路部材）
１１ａ…内壁
１３…送風通路（通路）
２０…エバポレータ（冷却用熱交換器）
２１…ヒータコア（加熱用熱交換器、熱交換器）
２２…冷風通路（通路）
２３…エアミックスドア（ドア）
２４…デフ用ミックスドア
２５…温風通路（通路）
２６…エアミックスチャンバ
２７…デフロスタ用ドア（ドア）
２８…フェイス用ドア（ドア）
２９…フット用ドア
３０…リア用ドア（ドア）
４０…突起（乱反射部材）
４１…第１の設置部位
４２…第２の設置部位
４３…第３の設置部位
【図１】
2012166758.tif 000003
【図２】
2012166758.tif 000004
【図３】
2012166758.tif 000005